(57)【特許請求の範囲】
【請求項１】
レンジの上方に配置されるフード部でレンジからの少なくとも蒸気や油煙を捕集し、この捕集した少なくとも蒸気や油煙をファンで吸い込み、排気ダクトを介して屋外に排気する排気装置において、フード部の内部の背面側にファンを収めてそのファンの吸入口前面に空間部を設けると共に、吸気経路がフード部の前面側で傾斜あるいは折れ曲がって上記空間部に連通するダクト部をフード部に形成して消音装置を構成し、空間部の断面積がダクト部の断面積及びファンの吸込口の断面積より大きくして成ることを特徴とする排気装置。
【請求項２】
上記ダクト部の一部をフード部を構成するパネルで構成し、ダクト部の壁面を上記フード部のパネルと一体形成して成ることを特徴とする請求項１記載の排気装置。
【請求項３】
上記ダクト部を水平に形成して成ることを特徴とする請求項１記載の排気装置。
【請求項４】
レンジの上方に配置されるフード部でレンジからの少なくとも蒸気や油煙を捕集し、この捕集した少なくとも蒸気や油煙をファンで吸い込み、排気ダクトを介して屋外に排気する排気装置において、ファンの前方に空間を設けてフード部内のファンの前面部を閉塞する形でパネル板を取り付け、排気される空気に含まれた油分を除去するフィルタを上記パネル板の両側に形成される開口に取り付け、このパネル板とフード部及びファンで囲まれた空間をダクト部とし、フィルタが取り付けれる開口の総面積をファンの吸込口の断面積より大きくして成ることを特徴とする排気装置。
【請求項５】
ダクト部内の騒音を音干渉により消音するアクティブ消音装置を備えて成ることを特徴とする請求項１乃至請求項４のいずれかに記載の排気装置。
【請求項６】
ダクト部あるいはファンの収納空間内の騒音を吸音する吸音材を備えて成ることを特徴とする請求項１乃至請求項４のいずれかに記載の排気装置。
【請求項７】
ダクト部内の騒音を音干渉により消音するアクティブ消音装置と、ダクト部あるいはファンの収納空間内の騒音を吸音する吸音材とを共に備えて成ることを特徴とする請求項１乃至請求項４のいずれかに記載の排気装置。
【発明の詳細な説明】
【０００１】
【産業上の利用分野】
本発明は、騒音低減機能を持つ排気装置に関するものである。
【０００２】
【従来の技術】
排気装置としてはレンジなどで発生する蒸気や油煙などを排気するために用いられるものがある。この種のレンジ用の排気装置（いわゆるレンジフード）を図１３に示す。この排気装置はレンジの上方に配置され、フード部２でレンジの発する蒸気や油煙などを捕集して、図１３（ｂ）に示すようにフード部２の内部に収められたシロッコファンなどのファン１で蒸気や油煙などを吸い込み、排気ダクト３を介して屋外に排気する構造となっている。また、この排気装置ではフード部２の内部のファン１の前方にフィルタ４を取り付け、排気される空気内に含まれる油分を除去するようにしてある。ここで、このような排気装置では、ファン１の吸込口１ａの開口縁で風切音が発生して騒音を生じる。そこで、吸込口１ａの開口縁を曲成し、この曲成部１ｂにより風切音の発生を防止してある。
【０００３】
上述した構造の排気装置では、ファン１の回転速度を上げると、それに伴ってファン１の発する騒音が大きくなるという問題があった。しかも、排気ダクト３の長さによっては、定在波が発生し、さらに騒音が大きくなり、例えばこの排気装置を家庭用として用いた場合には、テレビの音が聞こえないほどの騒音を生じることがある。
【０００４】
上記騒音を低減する排気装置としては実開昭５９−９１５２６号公報で提案されたものがある。この排気装置を図１４に示す。この排気装置には、内部に設けられた遮蔽板２１ａ，２１ｂにより自動二輪車のエンジン排気音を低減するマフラ的な構造の消音装置２１を備えている。具体的には、消音装置２１では、ジグザク状の遮蔽板２１ｂで内部を図中の左右方向で２分し、この遮蔽板２１ｂの夫々の角部と消音装置２１の内面との間に複数の遮蔽板２１ａを設け、遮蔽板２１ｂの夫々の角部と遮蔽板２１ａとの間に形成される隙間を通気路としてある。
【０００５】
この排気装置では、ファン１から発せられる騒音が図１４中の矢印イで示すように遮蔽板２１ａ，２１ｂの隙間を通って蛇行する形で放出され、このとき遮蔽板２１ａ，２１ｂで複数回反射されながら放出される。ここで、ファン１から発せられる騒音は反射される毎に減衰するため、騒音が低減される。しかし、このような構造であると、騒音は低減されるが、排気効率が低下してしまうという問題があった。
【０００６】
そこで、排気効率を低下させることなく騒音を低減することを可能とした排気装置（レンジフード）が本発明の発明者らにより特願平５−３３７６３号として提案されている。この排気装置では、図１５に示すように、下方に開口する箱状のフード部２を備え、このフード部２の前方の上下方向における中央部に消音装置２０を配置してある。この消音装置２０は円柱状の穴からなる２個のダクト部２０ａが上下方向に貫通された構造となっている。そして、フード部２内を上下に仕切板１９で２分し、仕切板１９で２分されたフード部２の上下空間を消音装置２０のダクト部２０ａで連通させてある。上記仕切板１９で２分されたフード部２の上部空間にはシロッコファンなどのファン１を縦置きにして配置してあり、下部空間には排気される空気内に含まれる油分を除去するフィルタ４を取り付けてある。
【０００７】
上記排気装置では、フード部２で捕集されたレンジの発する蒸気や油煙などを、消音装置２０のダクト部２０ａを通してファン１で吸い込み、排気ダクト３から排気する。一方、ファン１の発する騒音は、逆に消音装置２０のダクト部２０ａを介して下方に放出される。
ここで、上記消音装置２０のダクト部２０ａの断面積は、上部空間の断面積よりも小さくなっているため、消音装置２０がいわゆる拡張室形の消音装置として機能し、ファン１から発せられる騒音が低減される。また、上記排気装置においては２個のダクト部２０ａの総断面積がファン１の吸込口１ａの断面積よりも大きくしてある。このため、ダクト部２０ａが円柱状の穴であることと相まって、排気効率の低下が少なくなっている。つまりは、この消音装置によれば、排気効率を低下させることなく、騒音を低減することができる。
【０００８】
【発明が解決しようとする課題】
しかしながら、上記排気装置の消音装置２０はダクト部２０ａが上下方向に直線的に形成されているため、消音装置２０の上下寸法が長くなり、小型の排気装置に適用することが難しいという問題があった。
本発明は上述の点に鑑みて為されたものであり、排気効率を低下させることなく騒音を低減できる消音構造を小型の排気装置に適用できるようにすることを目的とするものである。
【０００９】
【課題を解決するための手段】
請求項１の発明は、上記目的を達成するために、レンジの上方に配置されるフード部でレンジからの少なくとも蒸気や油煙を捕集し、この捕集した少なくとも蒸気や油煙をファンで吸い込み、排気ダクトを介して屋外に排気する排気装置において、フード部の内部の背面側にファンを収めてそのファンの吸入口前面に空間部を設けると共に、吸気経路がフード部の前面側で傾斜あるいは折れ曲がって上記空間部に連通するダクト部をフード部に形成して消音装置を構成し、空間部の断面積がダクト部の断面積及びファンの吸込口の断面積より大きくしてある。
【００１０】
なお、具体的には、請求項２に示すように、上記ダクト部の一部をフード部を構成するパネルで構成し、ダクト部の壁面を上記フード部のパネルと一体形成することが望ましい。
また、請求項３に示すように、ダクト部を水平に形成してもよい。
請求項４の発明は、上記目的を達成するために、レンジの上方に配置されるフード部でレンジからの少なくとも蒸気や油煙を捕集し、この捕集した少なくとも蒸気や油煙をファンで吸い込み、排気ダクトを介して屋外に排気する排気装置において、ファンの前方に空間を設けてフード部内のファンの前面部を閉塞する形でパネル板を取り付け、排気される空気に含まれた油分を除去するフィルタを上記パネル板の両側に形成される開口に取り付け、このパネル板とフード部及びファンで囲まれた空間をダクト部とし、フィルタが取り付けれる開口の総面積をファンの吸込口の断面積より大きくしてある。
【００１１】
なお、請求項１乃至請求項４のいずれかに記載の排気装置において、さらに良好な消音効果を得るために、請求項５に示すように、ダクト部内の騒音を音干渉により消音するアクティブ消音装置を備えるようにしてもよい。
また、請求項１乃至請求項４のいずれかに記載の排気装置において、さらに良好な消音効果を得るための別の方法としては、請求項６に示すように、ダクト部あるいはファンの収納空間内の騒音を吸音する吸音材を備えてもよい。
【００１２】
さらに、請求項１乃至請求項４のいずれかに記載の排気装置において、さらに良好な消音効果を得るためのさらに別の方法としては、請求項７に示すように、ダクト部内の騒音を音干渉により消音するアクティブ消音装置と、ダクト部あるいはファンの収納空間内の騒音を吸音する吸音材とを共に備えてもよい。
【００１３】
【作用】
請求項１の発明は、上述のようにフード部の内部の背面側にファンを収めてそのファンの吸入口前面に空間部を設けると共に、吸気経路がフード部の前面側で傾斜あるいは折れ曲がって上記空間部に連通するダクト部をフード部に形成して消音装置を構成することにより、ダクト部を拡張室形の消音装置として機能させ、ファンの発する騒音を低減する。また、空間部の断面積がダクト部の断面積及びファンの吸込口の断面積より大きくし、排気効率が低下することを防止する。さらに、ダクト部の吸気経路を傾斜あるいは折れ曲がった構造とし、ダクト部の上下方向における寸法を小さくし、排気効率を低下させることなく騒音を低減できる消音構造を、小型の排気装置にも用いることを可能とする。
【００１４】
請求項２の発明は、ダクト部の一部をフード部を構成するパネルで構成し、ダクト部の壁面を上記フード部のパネルと一体形成することにより、構造を簡素にし、低コスト化を実現する。
請求項３の発明は、ダクト部を水平に形成することにより、上下寸法をさらに小さくすることを可能とし、排気効率を低下させることなく騒音を低減できる消音構造を、小型の排気装置に適用可能とするという効果を有効に発揮させる。
【００１５】
請求項４の発明は、上述のようにファンの前方に空間を設けてフード部内のファンの前面部を閉塞する形でパネル板を取り付け、排気される空気に含まれた油分を除去するフィルタを上記パネル板の両側に形成される開口に取り付け、このパネル板とフード部及びファンで囲まれた空間をダクト部とすることにより、ファンから発せられる騒音の放出経路を折れ曲がったものとし、騒音を低減する効果を得る。また、フィルタが取り付けれる開口の総面積をファンの吸込口の断面積より大きくすることにより、排気効率が低下することを防止する。さらに、ファンの収納空間をダクト部と兼用させることにより、個別にダクト部を設ける必要がなく、排気効率を低下させることなく騒音を低減できる消音構造を、小型の排気装置にも用いることを可能とする。
【００１６】
請求項５の発明は、ダクト部内の騒音を音干渉により消音するアクティブ消音装置を備えることにより、請求項１乃至請求項４の備えるいわゆるパッシブタイプの消音装置で消音できない騒音の低周波成分をアクティブ消音装置で消音し、良好な消音効果を得る。
請求項６の発明では、ダクト部あるいはファンの収納空間内の騒音を吸音する吸音材を備えることにより、請求項１乃至請求項４の備えるパッシブタイプの消音装置の消音効果に、吸音材による消音効果を付加し、良好な消音効果を得る。
【００１７】
請求項７の発明では、ダクト部内の騒音を音干渉により消音するアクティブ消音装置と、ダクト部あるいはファンの収納空間内の騒音を吸音する吸音材とを共に備えることにより、請求項１乃至請求項４の備えるパッシブタイプの消音装置の消音効果に、アクティブ消音装置と吸音材による消音効果とを付加し、さらに良好な消音効果を得る。
【００１８】
【実施例】
（実施例１）
図１に請求項１を具体化した請求項２の発明の一実施例を示す。本実施例の排気装置は、基本構造的には、図１３の排気装置と同じものであり、レンジなどの上方に配置されるフード部２でレンジの発する蒸気や油煙などを捕集し、捕集した蒸気や油煙などをシロッコファンなどのファン１で吸い込み、排気ダクト３を介して屋外に排気するものである。
【００１９】
この排気装置では、フード部２の前面板２ａが斜め下方に張り出した構造とし、蒸気や油煙などを効率的に捕集するようにしてある。フード部２の内部の背面側には吸気方向を水平とするように縦置きでファン１を配置してある。フード部２は板金を加工して形成されており、フード部２の下方部には底板２ｃを設け、この底板２ｃで仕切られた上部空間にファン１を配置してある。
【００２０】
上記フード部２の前面板２ａの内側には、上記底板２ｃと一体に仕切部２ｂを形成してある。上記仕切部２ｂの前面上部は前面板２ａに沿うように斜めに形成してあり、前面板２ａ、仕切部２ｂ及びフード部２の両側板で形成される空間をダクト部５ａとしてある。また、仕切部２ｂとファン１との間には空間部５ｂを設けてある。上記空間部５ｂの縦断面積は、ダクト部５ａの断面積及びファン１の吸込口１ａの断面積よりも大きくしてあり、ダクト部５ｂがいわゆる拡張室形の消音装置として機能する。
【００２１】
上記排気装置では、フード部２の下方に配置されたレンジの発する蒸気や油煙などを、図１（ａ）中の矢印イで示すように、ダクト部５ａ、空間部５ｂを介してファン１で吸い込み、排気ダクト３を介して屋外に放出する。ここで、ダクト部５ａの下部に位置する吸気口には、排気される空気内に含まれる油分を除去するフィルタ４を取り付けてある。
【００２２】
一方、ファン１から発せられる騒音は、図１（ａ）中の矢印ロで示すように、排気方向とは逆に、ファン１、空間部５ｂ及びダクト部５ａを介して放出される。この場合に、騒音はフード部２から直接に放出されずに、ダクト部５ｂからなる消音装置を介して放出されるので、騒音が低減される。
しかも、ファン１の吸込口１ａよりも仕切部２ｂの上端が高い位置まで形成してあるので、騒音の放出経路が折れ曲がることになり、且つダクト部５ａが斜めに形成してあるので、騒音はダクト部５ａ内部を複数回反射されてダクト部５ａの吸気口から放出されることになる。従って、騒音が効率的に減衰され、良好な騒音の低減効果を得ることができる。
【００２３】
また、この排気装置では、消音装置を構成するダクト部５ａを斜めに形成してあるので、消音装置の上下方向における寸法を小さくでき、小型の排気装置にも適用できる。さらに、本実施例の排気装置では、消音装置としてのダクト部５ａがフード部２を構成する板金の加工で形成されているので、部品点数を少なくでき、しかも加工も比較的に容易であるから、加工コストを低く抑えることができる。
【００２４】
そして、本実施例の排気装置では、ダクト部５ａの断面積Ｓ１  は、ファン１の吸込口１ａの断面積Ｓ２  より大きくしてある（Ｓ１  ＞Ｓ２  ）。このようにすれば、排気装置の排気効率が低下することがない。しかも、消音装置がいわゆるダクト構造であるので、ダクト部５ａ内の気流の流れがスムーズであることによっても、排気が良好に行える。
【００２５】
図２に請求項２の発明の他の実施例を示す。この排気装置では、仕切部２ｂをフード部２内部の上下に形成し、ダクト部５ａの排気側を水平とし、このダクト部５ａの排気口の位置をファン１の吸込口１ａとの位置とほぼ同じにしたものである。このようなダクト部５ａの構造であれば、図１の場合よりもさらに排気効率を良くすることが可能である。従って、排気効率を重視する場合には図２の構造を採用すればよい。
【００２６】
（実施例２）
図３に請求項１を具体化した請求項３の発明の一実施例を示す。本実施例の排気装置では、ファン１が収納された前方に開口するファン収納空間を仕切板２ｄを用いて閉塞し、フード部２内を前後２室に分割してある。なお、仕切板２ｄは底板２ｃと一体に形成されている。そして、仕切板２ｄのファン１の吸込口１ａに対応する位置に吸気口２ｅを設け、この吸気口２ｅの前面には左右に開口する矩形筒状のダクト５を取り付けてある。なお、ダクト５内部は吸気口２ｅを通してファン１の収納空間と連通させ、このダクト５を介してファン１の収納空間と前方の空間とを連通させてある。
【００２７】
この排気装置の場合には、フード部２で捕集した蒸気や油煙などを、ダクト５の左右開口、及び吸気口２ｅを通してファン１で吸い込む構造となり、ダクト５が取り付けられたフード部２の前部空間の開口する下面部には、排気される空気に含まれる油分を除去するフィルタ４を取り付けてある。
ファン１の発する騒音は、逆に吸気口２ｅ及びダクト５を通して放出される。ここで、ファン１を収納した収納空間のファン１の前方には空間部５ｂを設け、この空間部５ｂの断面積が吸気口２ｅ及びダクト５の断面積よりも大きくなっている。これにより、実施例１の場合と同様にダクト５が拡張室形の消音装置として機能し、騒音が低減される。
【００２８】
しかも、ファン１から発せられた騒音は、吸気口２ｅから左右に直角に分岐される形でダクト５の左右の開口から放出され、さらに下方に曲げられる形で前部空間の下面から放出される。従って、本来の拡張室形の消音装置としての消音機能と相まって、反射により効率的に騒音が低減される。
ここで、ダクト５の吸気口の断面積をＳ３  とした場合、ダクト５には２個の吸気口を有するので、ファン１の吸気口１ａの断面積Ｓ２  に対して、２Ｓ３  ＞Ｓ２  とすれば、排気効率が低下することがない。但し、吸気口２ｅの断面積Ｓ４  を考慮すると、断面積Ｓ４  は、２Ｓ３  ＞Ｓ４  ≧Ｓ２  であることが望まれる。
【００２９】
本実施例ではダクト５が横向きに配置されているので、さらに消音装置としての上下方向における寸法を小さくでき、小型の排気装置に適用可能である。
（実施例３）
請求項４の発明の一実施例を図４に示す。従来のこの種の一般的な排気装置では、図１３に示すように、底板２ｃの前端とフード部２の前面板の上端との間に掛け渡す形でフィルタ４が取り付けられている。これに対して、本実施例の排気装置では、図４（ｂ）に示すように従来フィルタ４が取り付けられていたファン１の吸気口１ａの前面部を板金製のパネル板６を用いて閉塞し、そのパネル板６の左右に開口を形成し、その開口部にフィルタ４を取り付けてある。なお、パネル板６とフィルタ４とは一体であってもよい。
【００３０】
上述のようにパネル板６をフィルタ４の代わりに取り付けると、ファン１とパネル板６との間に図４（ａ）に示す断面が三角形状の空間からなるダクト部５ａが形成される。ここで、このダクト部５ａは、ファン１の発する騒音の放出経路を折り曲げるように作用するので、反射による騒音の減衰効果が得られる。なお、フィルタ４を取り付けた開口の断面積をＳ５  とすれば、ファン１の吸気口１ａの断面積Ｓ２  に対して、２Ｓ５  ＞Ｓ２  とすることにより、排気効率を低下させることなく、消音効果を得ることができる。
【００３１】
本実施例の構造であれば、板状のパネル板６を従来の排気装置に追加するだけであるので、構造が非常に簡単である。しかも、パネル板６の取付は従来のフィルタ４の交換とほぼ同じ状態で簡単に行え、既存の排気装置などに追加して組み込むことが可能となる。なお、フィルタ４とパネル板６とが一体の場合にはさらに追加して組み込むことが容易に行える。
【００３２】
（実施例４）
請求項５の発明の一実施例を図５に示す。本実施例の排気装置の基本構造は、図１のものと同じであり、本実施例の場合にはアクティブ消音機能を付加し、さらに消音効果を向上させるようにしたものである。アクティブ消音装置は、ダクト部５ａ内の騒音を収音するマイク７と、このマイク７で収音された音信号を反転する反転回路８と、反転回路８の出力（２次音）をダクト部５ａ内に放出するスピーカ９とで構成してある。上記アクティブ消音装置は、ダクト部５ａ内に存在する騒音と逆位相の音声信号をスピーカ９から発して、音干渉により騒音を打ち消して消音を行う。
【００３３】
このように、アクティブ消音装置を備えることにより、実施例１乃至実施例３で説明したいわゆるパッシブタイプの消音装置で消音できない騒音の低周波成分（約５００Ｈｚ以下）を消音でき、良好な消音効果が得られる。
請求項５の発明の他の実施例を図６に示し、さらに他の実施例を図７に示す。図６は図３の排気装置において、図５の実施例で説明した構成のアクティブ消音装置を、ダクト５の吸気口２ｅの両側から左右の両開口に到る経路に夫々設け、アクティブ消音を行うものである。また、図７の排気装置は、図４のものにおけるファン１の吸気口１ａの左右からフィルタ４を取り付けた開口に到る経路において夫々設けたアクティブ消音装置を設けてアクティブ消音を行うものである。なお、図５の実施例を含む夫々の実施例におけるスピーカ９の取付面には、スピーカ９の音をダクト部５ａの内部に発するための音出孔１１を形成してある。
【００３４】
ところで、上記アクティブ消音機能を付加する場合、以下の点で注意が必要である。つまりは、アクティブ消音は、ダクト部５ａ（ダクト５も含む）内を伝搬する騒音が平面波でないと効果がない。一般的に、音波の波長に比べてダクト部５ａの断面積が十分に小さい場合、その音波はダクト部５ａ内を平面波伝搬する。例えば、断面矩形のダクト部５ａの場合、平面波伝搬する最高周波数ｆｃと、ダクト部５ａの長辺ａとの間には次の関係がある。
【００３５】
ｆｃ＝ｃ／２ａ    ［Ｈｚ］
ここで、ｃ：音速（≒３４０ｍ／ｓ）
上式から明らかなようにダクト部５ａの長辺が長くなるほど、最高周波数ｆｃは低くなり、平面波伝搬する周波数成分が限られ、アクティブ消音効果の劣化につながる。
【００３６】
そこで、アクティブ消音効果を劣化させないための対策方法を図５の実施例を基にして説明する。図５の実施例では、同図（ｂ）に示すようにダクト部５ａの内部を仕切板１３を用いて分割し、夫々の分割空間毎に夫々アクティブ消音機能部を設けてある。このようにすれば、ダクト部５ａの長辺の長さを短くすることができ、効果的にアクティブ消音を行うことができる。
【００３７】
なお、図示しないが、図２の排気装置にアクティブ消音機能を付加することも可能であることは言うまでもない。また、アクティブ消音装置の数や設置箇所は上記実施例に限られるものでもない。
（実施例５）
請求項６の発明の実施例を図８乃至図１０に示す。図８は図５の排気装置からアクティブ消音装置を取り除き、仕切部２ｂ内部にグラスウールなどの吸音材１２を充填すると共、前面板１の内面に吸音材１２を貼着してある。なお、ダクト部５ａを構成する両側板にも吸音材１２を貼着してもよいことは言うまでもない。
【００３８】
図９の場合にはダクト５の前面に吸音材１２を設け、図１０はパネル板６の前面に吸音材１２を設けてある。なお、図９及び図１０では、図６乃至図７の実施例におけるスピーカ９を収納するスピーカボックス１０内に吸音材１２を充填してある。
このように吸音材１２を付加すれば、ダクト部５ａと空間部５ｂとで構成されるいわゆるパッシブタイプの消音装置の消音効果に、吸音材１２による吸音効果を付加して、消音効率を高めることができる。ここで、吸音材１２は騒音の高周波成分（約５００Ｈｚ以上）の消音に効果がある。なお、仕切部２ｂやスピーカボックス１０内に吸音材１２を充填した場合には、仕切部２ｂあるいはスピーカボックス１０の内部が拡張室として機能し、消音効果が得られる。
【００３９】
（実施例６）
請求項７の発明の実施例を図１１に示す。本実施例は、パッシブタイプの消音装置、アクティブ消音装置及び吸音材１２を共に備えるものである。ここで、図１１では図１の排気装置にアクティブ消音機能部及び吸音材１２を共に設けてある。この場合には、仕切部２ｂ内にスピーカ９が収納されるので、吸音材１２は仕切部２ｂの空間部５ｂ側に貼着してある。このようにすれば、夫々の消音機構の働きにより、広い周波数にわたって効果的に消音を行うことができる。
【００４０】
最後に図１の排気装置と、この図１の排気装置にアクティブ消音装置を付加した図５の排気装置との消音効果をシミュレーションした結果を図１２に示す。図１２における破線が図１の排気装置の消音効果のシミュレーション結果を示し、実線が図５の排気装置の消音効果のシミュレーション結果を示す。ここで、シミュレーション結果を示すグラフが図中の上方にあるほど騒音の低減量（減衰量）が大きく、消音効果が良好であることを示す。
【００４１】
図１２から明らかなように図１の排気装置の場合にはやや消音効果の劣る面もあるが、可聴周波数の全域から見れば、良好な消音効果が得られていることが分かる。また、図５の排気装置ではより消音効果がよくなっていることが分かる。
【００４２】
【発明の効果】
請求項１の発明は、上述のようにフード部の内部の背面側にファンを収めてそのファンの吸入口前面に空間部を設けると共に、吸気経路がフード部の前面側で傾斜あるいは折れ曲がって上記空間部に連通するダクト部をフード部に形成して消音装置を構成してあるので、ダクト部が拡張室形の消音装置として機能し、ファンの発する騒音を低減することができ、また空間部の断面積がダクト部の断面積及びファンの吸込口の断面積より大きくしてあるので、排気効率が低下することを防止することができる。しかも、ダクト部の吸気経路を傾斜あるいは折れ曲がった構造としてあるので、ダクト部の上下方向における寸法を小さくでき、排気効率を低下させることなく騒音を低減できる消音構造を、小型の排気装置にも用いることができる。
【００４３】
請求項２の発明は、ダクト部の一部をフード部を構成するパネルで構成し、ダクト部の壁面を上記フード部のパネルと一体形成してあるので、構成を簡素にでき、低コスト化を実現することができる。
請求項３の発明は、ダクト部を水平に形成してあるので、上下寸法をさらに小さくすることができ、排気効率を低下させることなく騒音を低減できる消音構造を、小型の排気装置に適用可能とするという効果を有効に発揮させることができる。
【００４４】
請求項４の発明は、上述のようにファンの前方に空間を設けてフード部内のファンの前面部を閉塞する形でパネル板を取り付け、排気される空気に含まれた油分を除去するフィルタを上記パネル板の両側に形成される開口に取り付け、このパネル板とフード部及びファンで囲まれた空間をダクト部としてあるので、ファンから発せられる騒音の放出経路が折れ曲がったものとなり、騒音を低減する効果を得ることができる。また、フィルタが取り付けれる開口の総面積をファンの吸込口の断面積より大きくしてあるので、排気効率が低下することを防止することができる。さらに、ファンの収納空間をダクト部と兼用させているので、個別にダクト部を設ける必要がなく、排気効率を低下させることなく騒音を低減できる消音構造を、小型の排気装置に用いることができる。また、パネル板はフィルタの交換とほぼ同じ形で既存の排気装置などに組み込むことが可能となる。
【００４５】
請求項５の発明は、ダクト部内の騒音を音干渉により消音するアクティブ消音装置を備えているので、いわゆるパッシブタイプの消音装置では消音できない騒音の低周波成分をアクティブ消音装置で消音し、良好な消音効果を得ることができる。
請求項６の発明では、ダクト部あるいはファンの収納空間内の騒音を吸音する吸音材を備えているので、パッシブタイプの消音装置の消音効果に、吸音材による消音効果を付加し、良好な消音効果を得ることができる。
【００４６】
請求項７の発明では、ダクト部内の騒音を音干渉により消音するアクティブ消音装置と、ダクト部あるいはファンの収納空間内の騒音を吸音する吸音材とを共に備えることにより、パッシブタイプの消音装置の消音効果に、アクティブ消音装置と吸音材による消音効果とを付加し、さらに良好な消音効果を得ることができる。
【図面の簡単な説明】
【図１】（ａ），（ｂ）は請求項２の発明の一実施例の概略断面図、及びダクト部の内部構造を示す正面図である。
【図２】（ａ），（ｂ）は請求項２の発明の他の実施例の概略断面図、及びダクト部の内部構造を示す正面図である。
【図３】（ａ），（ｂ）は請求項３の発明の一実施例の概略断面図、及びフード部の前方空間内の構造を示す正面図である。
【図４】（ａ），（ｂ）は請求項４の発明の一実施例の概略断面図、及びフード部の前方空間内の構造を示す正面図である。
【図５】（ａ），（ｂ）は請求項５の発明の一実施例の概略断面図、及びダクト部の内部構造を示す正面図である。
【図６】（ａ），（ｂ）は請求項５の発明の他の実施例の概略断面図、及びフード部の前方空間内の構造を示す正面図である。
【図７】（ａ），（ｂ）は請求項５の発明のさらに他の実施例の概略断面図、及びフード部の前方空間内の構造を示す正面図である。
【図８】請求項６の発明の一実施例の概略断面図である。
【図９】（ａ），（ｂ）は請求項６の発明の他の実施例の概略断面図、及びフード部の前方空間内の構造を示す正面図である。
【図１０】（ａ），（ｂ）は請求項６の発明のさらに他の実施例の概略断面図、及びフード部の前方空間内の構造を示す正面図である。
【図１１】請求項７の発明の一実施例の概略断面図である。
【図１２】図１及び図５の排気装置における消音効果のシミュレーション結果を示す説明図である。
【図１３】（ａ），（ｂ）は従来の排気装置の斜視図及び断面図である。
【図１４】他の従来の排気装置が備える消音装置の概略断面図である。
【図１５】（ａ），（ｂ）はさらに別の従来の排気装置の透視斜視図及び断面図である。
【符号の説明】
１  ファン
１ａ  吸込口
２  フード部
２ａ  前面板
２ｂ  仕切部
３  排気ダクト
４  フィルタ
５ａ  ダクト部
５ｂ  空間部
６  パネル板
７  マイク
８  反転回路
９  スピーカ
１２  吸音材
【図１】
0003556963.tif 000002
【図２】
0003556963.tif 000003
【図３】
0003556963.tif 000004
【図４】
0003556963.tif 000005
【図５】
0003556963.tif 000006
【図６】
0003556963.tif 000007
【図７】
0003556963.tif 000008
【図８】
0003556963.tif 000009
【図９】
0003556963.tif 000010
【図１０】
0003556963.tif 000011
【図１１】
0003556963.tif 000012
【図１２】
0003556963.tif 000013
【図１３】
0003556963.tif 000014
【図１４】
0003556963.tif 000015
【図１５】
0003556963.tif 000016